(57)【特許請求の範囲】
【請求項１】
取り外し可能な蓋部材が開口部に設置されるマンホール内に設置した複数段の梯子と、
前記梯子の上方に設置することにより、前記マンホールに出入する作業者の手掛けとなる掴み棒と、
前記梯子の上部付近に設置され、前記掴み棒を収容する収納部と、
前記収納部の底部に設置され、前記掴み棒を上方へ向かって押し出す押出部材と、
前記収納部の近傍に設置され、前記掴み棒を前記マンホールから突出した状態で固定する固定部と、
前記掴み棒をマンホール内に繋ぎ止める繋留部材と、
を備え、
前記掴み棒は、前記マンホールの開口部に前記蓋部材を取り付けた状態で、前記蓋部材により前記押出部材の押出力に抗して前記収納部内に収納された状態となり、前記マンホールの開口部から前記蓋部材を取り外した状態で、前記押出部材の押出力により前記収納部内から突出した状態となる、
ことを特徴とするマンホールの出入補助装置。
【請求項２】
前記蓋部材のマンホール内部側に設置されたカバー部材を備え、
前記カバー部材は、筒状の本体部と、当該本体部の上端部に開閉可能に取り付けた開閉蓋とを有し、
前記開閉蓋は、閉じられた状態で、前記蓋部材と前記掴み棒の上端部との間に配置される、
ことを特徴とする請求項１に記載のマンホールの出入補助装置。
【請求項３】
前記カバー部材は、
前記マンホールの開口部から前記蓋部材を取り外した状態で、前記掴み棒とともに、前記収納部内から突出した状態となる、
ことを特徴とする請求項２に記載のマンホールの出入補助装置。
【請求項４】
前記カバー部材は、
前記本体部の外周面に対して、着色または反射部材の取り付けの少なくとも一方が施されていることを特徴とする請求項２または３に記載のマンホールの出入補助装置。
【請求項５】
前記カバー部材の前記開閉蓋は透光性を有していることを特徴とする請求項２〜４のいずれか１項に記載のマンホールの出入補助装置。
【発明の詳細な説明】
【技術分野】
【０００１】
本発明はマンホールの出入補助装置に関し、詳しくは、マンホールの出入に使用する掴み棒等からなる出入補助装置に関するものである。
【背景技術】
【０００２】
マンホールの地上部付近には、作業者が出入時に使用するはしごや掴み棒等の出入補助装置が設置されている。このようなマンホールの出入補助装置について、種々の提案がなされている（特許文献１参照）。特許文献１に記載された技術は、作業者が無理のない姿勢でマンホールに出入りできるようにするとともに、第三者に対してマンホールが開放されていることを告知する機能を有している。
【０００３】
具体的には、マンホールの周壁に設置された上部の梯子本体の両側にそれぞれ縦方向に固定される一対の支持パイプと、これら支持パイプに縦杆部がそれぞれ摺動自在かつ回動自在に挿入されるとともに、縦杆部の上部を略Ｕ字状に折り返して手摺り枠が形成された一対の手摺杆と、この手摺杆の延出端部の間に着脱自在に掛け渡されて、延出端部同士を固定する固定部材とを備えている。そして、延出端部をマンホール上に上昇、回転させて、マンホールの周縁部に接地することにより、手摺杆をマンホール外に設置することができるようになっている。
【先行技術文献】
【特許文献】
【０００４】
【特許文献１】特開２０００−２７３８８６号公報
【発明の概要】
【発明が解決しようとする課題】
【０００５】
上述したように、マンホールの地上部付近には、作業者がマンホール内に出入するための梯子が設けられている。この梯子は、マンホールの縦穴の周壁から突出した複数段の足掛け部からなり、作業者はこの梯子を用いてマンホール内を昇降する。特許文献１に記載された技術は、梯子の補助装置として、マンホールから地上に突出する手摺杆（掴み棒）を備えており、作業者が手摺杆（掴み棒）を握って梯子に足をかけることにより、マンホールへの出入時に作業者が不安定な姿勢になることを防止している。
【０００６】
しかし、特許文献１に記載された技術では、マンホールの蓋を開けた後に、手摺杆（掴み棒）を引き出して固定しなければならず、この一連の操作では作業者が腰をかがめて、マンホール内に手を差し込む等の動作が必要となる。このため、手摺杆（掴み棒）を固定するまでの動作において、作業者に無理な姿勢を強いることになる。
【０００７】
本発明は上述した事情に鑑み提案されたもので、作業者がマンホール内に出入する際に、無理な姿勢をとることなく、マンホール内から掴み棒を取り出して固定することができるマンホールの出入補助装置を提供することを目的とする。
【課題を解決するための手段】
【０００８】
本発明に係るマンホールの出入補助装置は、上述した事情に鑑み提案されたもので、以下の特徴点を有している。すなわち、本発明に係るマンホールの出入補助装置は、取り外し可能な蓋部材が開口部に設置されるマンホール内に設置した複数段の梯子と、梯子の上方に設置することにより、マンホールに出入する作業者の手掛けとなる掴み棒と、梯子の上部付近に設置され、掴み棒を収容する収納部と、収納部の底部に設置され、掴み棒を上方へ向かって押し出す押出部材と、収納部の近傍に設置され、掴み棒をマンホールから突出した状態で固定する固定部と、掴み棒をマンホール内に繋ぎ止める繋留部材とを備えている。そして、掴み棒は、マンホールの開口部に蓋部材を取り付けた状態で、蓋部材により押出部材の押出力に抗して収納部内に収納された状態となり、マンホールの開口部から蓋部材を取り外した状態で、押出部材の押出力により収納部内から突出した状態となることを特徴とするものである。
【０００９】
また、上述した構成に加えて、蓋部材のマンホール内部側に設置されたカバー部材を備えることが可能である。カバー部材は、筒状の本体部と、当該本体部の上端部に開閉可能に取り付けた開閉蓋とを有しており、開閉蓋は、閉じられた状態で、蓋部材と掴み棒の上端部との間に配置される。また、カバー部材は、マンホールの開口部から蓋部材を取り外した状態で、掴み棒とともに、収納部内から突出した状態となる。また、カバー部材は、本体部の外周面に対して、着色または反射部材の取り付けの少なくとも一方が施されていることが好ましい。また、カバー部材の開閉蓋は透光性を有していることが好ましい。
【発明の効果】
【００１０】
本発明に係るマンホールの出入補助装置によれば、マンホールの開口部に取り付けた蓋部材を取り除いてマンホールを開放状態とすると、収納部内に収納してある掴み棒が押出部材の押出力によりマンホールから突出した状態となる。したがって、作業者は無理な姿勢をとることなく掴み棒を手にすることができるので、掴み棒を固定する操作が容易となり、作業者の負担を軽減することができる。
【図面の簡単な説明】
【００１１】
【図１】本発明の実施形態に係る出入補助装置を設けたマンホールを側面から見た状態の説明図。
【図２】本発明の実施形態に係る出入補助装置を設けたマンホールを正面から見た状態の説明図。
【図３】本発明の実施形態に係る掴み棒、収納部、固定部の斜視図。
【図４】本発明の実施形態に係る掴み棒の着脱を示す説明図。
【図５】マンホール開口部のカバー部材の概略斜視図。
【図６】マンホール開口部のカバー部材の平面図。
【図７】マンホール開口部のカバー部材の使用状態の説明図。
【発明を実施するための形態】
【００１２】
以下、図面を参照して、本発明の実施形態に係るマンホールの出入補助装置について説明する。図１〜図４は本発明の実施形態に係るマンホールの出入補助装置を説明するもので、図１は出入補助装置を設けたマンホールを側面から見た状態の説明図、図２は出入補助装置を設けたマンホールを正面から見た状態の説明図、図３は掴み棒、収納部、固定部の斜視図、図４は掴み棒の着脱を示す説明図である。また、図５はマンホール開口部に取り付けるカバー部材の概略斜視図、図６はカバー部材の平面図、図７はカバー部材の使用状態の説明図である。
【００１３】
＜マンホールの出入補助装置の概要＞
本発明の実施形態に係るマンホールの出入補助装置は、図１〜図４に示すように、作業者がマンホール２００内に出入する際に手掛けとして使用する掴み棒に特徴があり、掴み棒１０と、梯子２０の上部付近に設置され、掴み棒１０を収容する収納部３０と、収納部３０の底部に設置され、掴み棒１０を上方へ向かって押し出す押出部材４０と、収納部３０の近傍に設置され、掴み棒１０をマンホール２００から突出した状態で固定する固定部５０と、掴み棒１０をマンホール２００内に繋ぎ止める繋留部材６０とを備えている。
【００１４】
＜掴み棒＞
掴み棒１０は、図１〜図４に示すように、マンホール２００内に設置した複数段の梯子２０の上方に設置することにより、マンホール２００に出入する作業者の手掛けとなる部材であり、マンホール２００の開口部に蓋部材７０を取り付けた状態では、梯子２０の上部付近に設置された収納部３０内に収納されている。そして、マンホール２００の開口部から蓋部材７０を取り外した状態で、収納部３０に設けた押出部材４０の押出力により収納部３０内から突出して、作業者が手に取ることができる。
【００１５】
この掴み棒１０は、角筒状の棒材からなり、下端部は先細り状となっている。掴み棒１０の長さは、マンホール２００の開口部に蓋部材７０を取り付けた状態で収納部３０内に収納されるとともに、マンホール２００の開口部から蓋部材７０を取り外した状態でマンホール２００から上端部が突出するように設定されている。なお、掴み棒１０の形状は角筒状に限られず、円筒状等であってもよい。
【００１６】
＜収納部／押出部材＞
収納部３０は、図１〜図４に示すように、掴み棒１０を収納するための部材であり、掴み棒１０の外径よりも若干大きな内径を有する筒状の部材からなり、底部は閉塞されている。また、収納部３０内には、掴み棒１０を上方へ向かって押し出す押出部材４０を設置してある。押出部材４０は、例えば、弦巻バネからなり、その押出力により、掴み棒１０を上方へ向かって押し出すことができる。押出部材４０による掴み棒１０の押出量は、掴み棒１０の上端部がマンホール２００内から若干突出する程度であり、掴み棒１０の長さや重量により、適宜な押出力を設定する。また、押出部材４０は弦巻バネに限られず、掴み棒１０を収納部３０内から押し出すことができる他の部材を用いることができる。
【００１７】
＜固定部＞
固定部５０は、図１〜図４に示すように、収納部３０の近傍に設置され、収納部３０から取り出した掴み棒１０をマンホール２００から突出した状態で固定するための部材である。この固定部５０は、掴み棒１０の外径よりも若干大きな内径を有する筒状の部材からなり、掴み棒１０の下端部を支持する支持部を設けてある。固定部５０の深さは、掴み棒１０がマンホール２００内から適宜長さだけ突出するように設定してある。掴み棒１０の突出長さは、梯子２０を昇降する作業者が手がかりとして使用できるとともに、マンホール２００から突出しても邪魔にならないように設定する。
【００１８】
＜繋留部材＞
掴み棒１０と固定部５０との間には、掴み棒１０をマンホール２００内に繋ぎ止めるための繋留部材６０を設けてある。この繋留部材６０は、図１及び図４に示すように、例えば、チェーンからなり、万が一、掴み棒１０を収納部３０と固定部５０との間で移動させる際に、作業者の手から掴み棒１０が離れ、あるいは収納部３０や固定部５０から掴み棒１０が外れたとしても、掴み棒１０がマンホール２００内に落下することを防止するようになっている。掴み棒１０はチェーンに限られず、掴み棒１０をマンホール２００内に繋ぎ止めることができるとともに、掴み棒１０の着脱を阻害しなければ、どのような部材を用いてもよい。
【００１９】
＜掴み棒の着脱＞
マンホール２００の開口部に蓋部材７０を取り付けた状態では、図４（ａ）に示すように、掴み棒１０が押出部材４０の押出力に抗して収納部３０内に収納されている。そして、作業者がマンホール２００内で作業を行うために、マンホール２００の開口部から蓋部材７０を取り外すと、図４（ｂ）に示すように、掴み棒１０が押出部材４０の押出力により収納部３０内から突出する。次いで、図４（ｃ）に示すように、作業者は収納部３０から突出した掴み棒１０の上端部を持って収納部３０から引き出し、固定部５０に差し替える。掴み棒１０を固定部５０に固定したら、作業者は掴み棒１０に手を掛けながら梯子２０に足を掛けて、マンホール２００内に入る。
【００２０】
また、マンホール２００内での作業が終了したら、固定部５０に固定した掴み棒１０を収納部３０へ移動させ、押出部材４０の押出力に抗して掴み棒１０を収納部３０内に収納し、マンホール２００の開口部に蓋部材７０を取り付ける。掴み棒１０を着脱する際に、繋留部材６０により掴み棒１０が固定部５０に繋ぎ止められているため、万が一、作業者の手から掴み棒１０が離れ、あるいは収納部３０や固定部５０から掴み棒１０が外れたとしても、掴み棒１０がマンホール２００内に落下することはない。
【００２１】
＜カバー部材＞
マンホール２００内で作業を行うには、蓋部材７０を取り外して開口部を開放する必要がある。この際、開口部が開放状態となっているため、第三者の落下等を防止するために、マンホール２００が開放されていることを告知する必要がある。例えば、開放されたマンホール２００の周囲に柵を設置することにより、第三者がマンホール２００に近づくことを防止するとともに、マンホール２００が開放されていることを告知している。本実施形態のカバー部材１００は、マンホール２００の開口部が開放状態となっている場合に、開口部を閉塞して、第三者がマンホール２００に落下する等の事故を未然に防止するとともに、マンホール２００内への雨水等の浸入を最小限とするための部材である。
【００２２】
このカバー部材１００を設けた場合には、カバー部材１００をマンホール２００内に収容した状態で、掴み棒１０の上端部が開閉蓋１２０に突き当たり、押出部材４０の押出力に抗して収納部３０内に収納され、カバー部材１００をマンホール２００内から上方へ向かって移動させた状態で、掴み棒１０が押出部材４０の押出力により収納部３０内から突出する。
【００２３】
本実施形態のカバー部材１００は、常時は、マンホール２００内に収納されており、マンホール２００の開口部から蓋部材７０を取り外した状態で、マンホール２００の開口部の上部を閉塞するようになっている。このカバー部材１００は、図５〜図７に示すように、本体部１１０と開閉蓋１２０とからなる。本体部１１０はマンホール２００の内径よりも若干小さい外径を有する筒状の部材であり、開閉蓋１２０は本体部１１０の上端部に回動可能（開閉可能）に取り付けた部材である。
【００２４】
＜本体部＞
本体部１１０は、例えば、アルミ材により形成された筒状の部材であり、軽量化を図るために複数のパンチング孔を開口してある。また、本体部１１０の下部には、梯子２０の上部を避けて本体部１１０をマンホール２００内に収納するための梯子開口部１３０と、マンホール２００の内壁面に設けた支持突起１４０を避けて本体部１１０をマンホール２００内に収納するための支持突起開口部１５０とを設けてある。また、本体部１１０の下部内周面には、本体部１１０を操作するための操作取っ手１７０を取り付けてある。
【００２５】
また、マンホール２００の開口部にカバー部材１００を取り付けていることを報知するために、本体部１１０の外周面はアクリル塗料等で着色してある。塗装色は特に限定されないが、第三者に注意を喚起するため、黄色、赤色、蛍光色等であることが好ましい。また、着色に代えて、あるいは着色とともに反射部材を取り付けてもよい。
【００２６】
＜開閉蓋＞
開閉蓋１２０は、本体部１１０の上端開放面を開閉するための板状の部材からなり、蝶番を用いて本体部１１０に開閉可能に取り付けてある。この開閉蓋１２０は、例えば透光性を有するアクリル樹脂により形成されている。このように、カバー部材１００の上面（開閉蓋１２０）が透光性を有しているため、マンホール２００内の照度を保つことができる。また、開閉蓋１２０の上面には、開閉蓋１２０を操作するための取っ手１６０を取り付けてある。
【００２７】
＜カバー部材の着脱＞
マンホール２００の開口部を開放状態としたら、マンホール２００内に収容したカバー部材１００を引き出し、カバー部材１００を水平方向に回転させる。カバー部材１００の回転角度は、梯子開口部１３０が梯子２０の位置から外れるとともに、支持突起開口部１５０が支持突起１４０の位置から外れる角度である。この状態では、カバー部材１００の下端部を梯子２０の上部及び支持突起１４０に載置した状態となるので、カバー部材１００がマンホール２００から突出した状態で、マンホール２００の開口部の上部を閉塞することができる。
【００２８】
そして、開閉蓋１２０を開状態とすることにより、作業者がマンホール２００内へ出入したり、工具を出し入れしたりすることができる。また、開閉蓋１２０を閉状態とすることにより、マンホール２００の開口部を閉塞して、雨水等の侵入を最小限とすることができる。カバー部材１００の側面（本体部１１０）は着色されているので、マンホール２００が開放状態となっていることを、通行人等に確実に報知することができる。
【００２９】
マンホール２００内での作業が終了したら、梯子開口部１３０が梯子２０の位置となり、支持突起開口部１５０が支持突起１４０の位置となるようにカバー部材１００を回転させて、カバー部材１００をマンホール２００内に収納する。この状態では、梯子開口部１３０の上部が梯子２０に載置され、支持突起開口部１５０の上部が支持突起１４０に載置される。
【００３０】
＜カバー部材の作用効果＞
カバー部材１００を設けることにより、マンホール２００を開放状態とした際に、マンホール２００内からカバー部材１００を取り出して、マンホール２００の開口部を閉塞し、通行人等の落下を防止することができる。
【００３１】
また、カバー部材１００の上部を、透光性を有する部材とすることにより、開口部にカバー部材１００を取り付けても、マンホール２００内の照度を保つことができる。また、カバー部材１００の側面を着色することにより、マンホール２００が開放状態となっていることを、通行人等に確実に報知することができる。さらに、カバー部材１００の上部に開閉蓋１２０を設けることにより、マンホール２００の開口部にカバー部材１００を取り付けたまま、作業者がマンホール２００内へ出入したり、工具を出し入れしたりすることができる。
【符号の説明】
【００３２】
１０  掴み棒
２０  梯子
３０  収納部
４０  押出部材
５０  固定部
６０  繋留部材
７０  蓋部材
１００  カバー部材
１１０  本体部
１２０  開閉蓋
１３０  梯子開口部
１４０  支持突起
１５０  支持突起開口部
１６０  取っ手
１７０  操作取っ手
２００  マンホール
【図１】
0006732538.tif 000002
【図２】
0006732538.tif 000003
【図３】
0006732538.tif 000004
【図４】
0006732538.tif 000005
【図５】
0006732538.tif 000006
【図６】
0006732538.tif 000007
【図７】
0006732538.tif 000008